(57)【要約】【課題】巾木材に対する側板の位置合わせをより容易に行うことができるエレベータの乗りかごを提供する。【解決手段】エレベータの乗りかご１０は、周縁に複数の巾木材１２が設けられた底面１５と、各巾木材１２上に取り付けられた側板１１とを備えている。このうち巾木材１２の上部１２ｂに、側板１１に向って上方に突出する２個の突起部２２が設けられている。また側板１１の底部１１ｂに、対応する突起部２２が各々挿入される係止穴２１が設けられている。このうち突起部２２は、巾木材１２上に形成された土台部２２ａと、土台部２２ａに形成されたテーパ部２２ｂとからなる。【選択図】図２
2011037588.tif 000002
【特許請求の範囲】
【請求項１】
周縁に複数の巾木材が設けられた底面と、各巾木材上に取り付けられた側板とを備えたエレベータの乗りかごにおいて、
巾木材または対応する側板のうちどちらか一方に、他方に向って突出する突起部が設けられ、
巾木材または対応する側板のうちどちらか他方に、前記突起部が挿入される係止穴が設けられたことを特徴とするエレベータの乗りかご。
【請求項２】
各巾木材に、対応する側板に向って突出する突起部が設けられ、
側板に、前記突起部が挿入される係止穴が設けられたことを特徴とする請求項１に記載のエレベータの乗りかご。
【請求項３】
各巾木材の突起部は、対応する側板に向うにつれて先細になるテーパ形状を有することを特徴とする請求項２に記載のエレベータの乗りかご。
【請求項４】
各巾木材の突起部は、対応する側板に向って突出する切りおこし部からなることを特徴とする請求項２に記載のエレベータの乗りかご。
【請求項５】
各側板の係止穴は、水平面上において前記側板と平行な方向に延びる長穴形状を有することを特徴とする請求項２に記載のエレベータの乗りかご。
【発明の詳細な説明】
【技術分野】
【０００１】
本発明は、周縁に複数の巾木材が設けられた底面と、各巾木材上に取り付けられた側板とを備えたエレベータの乗りかごに係り、とりわけ、乗りかごを組み立てる際、巾木材に対して側板の位置合わせを容易に行うことができるエレベータの乗りかごに関する。
【背景技術】
【０００２】
従来、エレベータの乗りかごを組み立てる場合、まず、周縁に複数の巾木材が設けられた底面を準備し、次に、各巾木材の上に側板を載置する。その後、各側板を、対応する巾木材にボルトなどの締結具により固定する。
【０００３】
一般に側板の重量は大きく、このため、巾木材の上に側板を載置する際、側板の位置を巾木材に対して精度良く合わせるのは容易ではない。このため、特許文献１において、下端に切欠部が設けられたカーパネル（側板）を備えたエレベータの乗りかごが開示されている。この場合、まずプラットフォーム（巾木材）の側面にボルトが仮止めされ、その後、この仮止めされたボルトに側板の切欠部が合うよう側板の位置合わせが行われる。
【先行技術文献】
【特許文献】
【０００４】
【特許文献１】特開平８−３１０７７３号公報
【発明の概要】
【発明が解決しようとする課題】
【０００５】
しかしながら、特許文献１に記載されたエレベータの乗りかごの場合、側板の位置合わせを行う前に、巾木材の側面にボルトを仮止めするという作業を行う必要がある。
【０００６】
本発明は、このような点を考慮してなされたものであり、巾木材に対する側板の位置合わせをより容易に行うことができるエレベータの乗りかごを提供することを目的とする。
【課題を解決するための手段】
【０００７】
本発明は、周縁に複数の巾木材が設けられた底面と、各巾木材上に取り付けられた側板とを備えたエレベータの乗りかごにおいて、巾木材または対応する側板のうちどちらか一方に、他方に向って突出する突起部が設けられ、巾木材または対応する側板のうちどちらか他方に、前記突起部が挿入される係止穴が設けられたことを特徴とするエレベータの乗りかごである。
【０００８】
本発明は、各巾木材に、対応する側板に向って突出する突起部が設けられ、
側板に、前記突起部が挿入される係止穴が設けられたことを特徴とするエレベータの乗りかごである。
【０００９】
本発明は、各巾木材の突起部は、対応する側板に向うにつれて先細になるテーパ形状を有することを特徴とするエレベータの乗りかごである。
【００１０】
本発明は、各巾木材の突起部は、対応する側板に向って突出する切りおこし部からなることを特徴とするエレベータの乗りかごである。
【００１１】
本発明は、各側板の係止穴は、水平面上において前記側板と平行な方向に延びる長穴形状を有することを特徴とするエレベータの乗りかごである。
【発明の効果】
【００１２】
本発明によれば、巾木材または対応する側板のうちどちらか一方に、他方に向って突出する突起部が設けられ、巾木材または対応する側板のうちどちらか他方に、対応する突起部が挿入される係止穴が設けられている。このため、係止穴内に突起部を挿入することにより、巾木材に対する側板の位置合わせを容易に行うことができる。
【図面の簡単な説明】
【００１３】
【図１】図１は、本発明の第１の実施の形態におけるエレベータの乗りかごを示す図。
【図２】図２（ａ）は、本発明の第１の実施の形態における側板と巾木材とを示す斜視図、図２（ｂ）は、本発明の第１の実施の形態における側板と巾木材とを示す断面図。
【図３】図３（ａ）は、本発明の第１の実施の形態における変形例を示す図、図３（ｂ）は、本発明の第１の実施の形態におけるその他の変形例を示す図。
【図４】図４は、本発明の第２の実施の形態における側板と巾木材とを示す斜視図。
【図５】図５は、本発明の第３の実施の形態における側板と巾木材とを示す斜視図。
【発明を実施するための形態】
【００１４】
第１の実施の形態
以下、図１乃至図３を参照して、本発明の第１の実施の形態について説明する。
ここで図１は、本発明の第１の実施の形態におけるエレベータの乗りかごを示す図である。図２（ａ）は、本発明の第１の実施の形態における側板と巾木材とを示す斜視図であり、図２（ｂ）は、本発明の第１の実施の形態における側板と巾木材とを示す断面図である。図３（ａ）は、本発明の第１の実施の形態における変形例を示す図であり、図３（ｂ）は、本発明の第１の実施の形態におけるその他の変形例を示す図である。
【００１５】
まず図１を参照して、本実施の形態におけるエレベータの乗りかご１０について説明する。図１に示すように、エレベータの乗りかご１０は、周縁に複数の巾木材１２が設けられた四角形状の底面１５と、各巾木材１２上に取り付けられた側板１１とを備えている。複数の側板１１上には天井１６が取り付けられ、また図１に示すように、乗りかご１０の奥側の一面の側板１１にはドア１７が開閉自在に設けられている。すなわち巾木材１２は、底面１５の４辺のうち、ドア１７が設けられた１辺を除く３辺の全長に渡って配置され、残りのドア１７側の1辺には、ドア１７の両側に一対の巾木材１２が設けられている。
【００１６】
次に図２（ａ）（ｂ）を参照して、本実施の形態における巾木材１２および側板１１について更に詳述する。なお以下の記述において、図２（ａ）（ｂ）により、図１において底面１５の左側の１辺に配置された巾木材１２および側板１１について説明するが、底面１５の右側の１辺および手前の１辺に配置された巾木材１２および側板１１、および底面１５の奥側の１辺（ドア１７側の１辺）に配置された巾木材１２および側板１１についても、底面１５の左側の１辺に配置された巾木材１２および側板１１と略同一の構造を有している。
【００１７】
図２（ａ）は、図１において底面１５の左側の１辺に配置される、組み立てられる前の巾木材１２および側板１１を示す図である。図２（ａ）に示すように、側板１１は、鉛直方向に延びる鉛直部１１ａと、鉛直部１１ａの下端に直交して連結された底部１１ｂとからなる。また巾木材１２は、側部１２ａと、側部１２ａの上端に直交して連結された上部１２ｂと、側部１２ａの下端に直交して連結された下部１２ｃとからなる。
【００１８】
このうち巾木材１２の上部１２ｂに、側板１１に向って上方に突出する２個の突起部２２が設けられている。また側板１１の底部１１ｂに、対応する突起部２２が各々挿入される係止穴２１が設けられている。さらに巾木材１２の上部１２ｂおよび側板１１の底部１１ｂに、締結穴２５、２６が各々２個設けられている。後述するように、巾木材１２に対する側板１１の位置合わせが行われた後、締結穴２５、２６に締結具、例えばボルト（図示せず）が挿入され、これによって側板１１が巾木材１２に堅固に固定される。
【００１９】
次に図２（ｂ）を参照して、突起部２２について詳述する。図２（ｂ）は、組み立てられた後の巾木材１２および側板１１を示す断面図である。図２（ｂ）に示すように、突起部２２は、巾木材１２上に形成された土台部２２ａと、土台部２２ａに形成されたテーパ部２２ｂとからなる。
【００２０】
このうち土台部２２ａは、例えば円柱形状を有し、その直径は係止穴２１の直径よりも若干小さい。側板１１が巾木材１２上に載置されるとき、側板１１の係止穴２１と巾木材１２の土台部２２ａとは堅固に嵌合される。このため、側板１１が巾木材１２上に載置された後、側板１１が巾木材１２にボルトにより固定されるまでの間、側板１１を巾木材１２に対して安定に保持することができる。
【００２１】
また図２（ｂ）に示すように、テーパ部２２ｂは、側板１１側に向うにつれて先細になるテーパ形状を有している。このことにより、巾木材１２に対する側板１１の位置合わせが容易となる。
【００２２】
次に、このような構成からなる本実施の形態の作用について説明する。ここでは、側板１１を巾木材１２上に取り付ける方法について説明する。
【００２３】
まず、周縁に複数の巾木材１２が設けられた底面１５と、各巾木材１２に対応する側板１１とを準備する。次に図２（ａ）に示すように、側板１１を例えばクレーン（図示せず）により巾木材１２の上方まで持ち上げる。その後、巾木材１２のテーパ部２２ｂの先端が側板１１の係止穴２１に挿入されるよう、側板１１を徐々に下方に降ろす。
【００２４】
更に、突起部２２の土台部２２ａとテーパ部２２ｂとが係止穴２１に完全に挿入されるよう、側板１１を下方に降ろす。このとき側板１１は、突起部２２のテーパ部２２ｂに沿って摺動しながら降ろされる。このため、巾木材１２に対する側板１１の位置合わせを容易に行うことができる。
【００２５】
突起部２２が係止穴２１に完全に挿入され、側板１１が巾木材１２上に載置された後、側板１１および巾木材１２の締結穴２５、２６にボルト（図示せず）を挿入する。次に、締結穴２５、２６に挿入されたボルトをナット（図示せず）で締結する。これによって、側板１１が巾木材１２上に堅固に固定される。
【００２６】
このように本実施の形態によれば、巾木材１２の上部１２ｂに、側板１１に向って上方に突出する２個の突起部２２が設けられ、また側板１１の底部１１ｂに、対応する突起部２２が各々挿入される係止穴２１が設けられている。このため、突起部２２を係止穴２１内に挿入することにより、巾木材１２に対する側板１１の位置合わせを容易に行うことができる。また、側板１１が巾木材１２上に載置された後、側板１１が巾木材１２にボルトにより固定されるまでの間、側板１１の下方部分を巾木材１２に対して安定に保持することができる。
【００２７】
また本実施の形態によれば、突起部２２は、巾木材１２の上部１２ｂ上に配置された土台部２２ａと、土台部２２ａに配置されたテーパ部２２ｂとからなり、このテーパ部２２ｂは、側板１１側に向うにつれて先細になるテーパ形状を有している。このため、側板１１を巾木材１２に取り付ける際、側板１１をテーパ部２２ｂに沿って摺動させることができるので、巾木材１２に対する側板１１の位置合わせをより容易に行うことができる。
【００２８】
次に図３（ａ）を参照して、本実施の形態における変形例について説明する。図３（ａ）に示す変形例は、突起部が切りおこし部からなる点が異なるのみであり、他の構成は、図１および図２（ａ）（ｂ）に示す第１の実施の形態と略同一である。図３（ａ）に示す変形例において、図１および図２（ａ）（ｂ）に示す第１の実施の形態と同一部分には同一符号を付して詳細な説明は省略する。
【００２９】
図３（ａ）に示すように、突起部は、側板１１に向って上方に突出する切りおこし部２２ｃからなる。この切りおこし部２２ｃは、まず巾木材１２の上部１２ｂの一部をコ字状に打ち抜き、次に打ち抜かれた部分を立ち上げることにより形成される。この場合、切りおこし部２２ｃが側板１１の係止穴２１に挿入されるよう、側板１１を巾木材１２上に載置する。これによって、巾木材１２に対する側板１１の位置合わせを容易に行うことができる。
【００３０】
次に図３（ｂ）を参照して、本実施の形態におけるその他の変形例について説明する。図３（ｂ）に示す変形例は、係止穴が、側板の底部を貫通しないよう形成された凹部からなり、突起部が、凹部に対応する凸部からなる点が異なるのみであり、他の構成は、図１および図２に示す第１の実施の形態と略同一である。図３（ｂ）に示す変形例において、図１および図２に示す第１の実施の形態と同一部分には同一符号を付して詳細な説明は省略する。
【００３１】
図３（ｂ）に示すように、係止穴は、側板１１の底部１１ｂを貫通しないよう形成された凹部２１ａからなる。また突起部２２は、凹部２１ａに対応する凸部２２ｄからなる。この場合、凸部２２ｄが側板１１の凹部２１ａに挿入されるよう、側板１１を巾木材１２上に載置する。これによって、巾木材１２に対する側板１１の位置合わせを容易に行うことができる。
【００３２】
なお図１および図２（ａ）（ｂ）に示す本実施の形態、図３（ａ）に示す変形例、および図３（ｂ）に示すその他の変形例において、巾木材１２の上部１２ｂに、側板１１に向って上方に突出する２個の突起部が設けられ、側板１１の底部１１ｂに、対応する突起部が各々挿入される係止穴が設けられている例を示した。しかしながら、これに限られることはなく、巾木材１２の上部１２ｂに、側板１１に向って上方に突出する１個の突起部を設け、側板１１の底部１１ｂに、対応する突起部が挿入される係止穴を設けてもよい。若しくは、巾木材１２の上部１２ｂに、側板１１に向って上方に突出する３個以上の突起部を設け、側板１１の底部１１ｂに、対応する突起部が各々挿入される係止穴を設けてもよい。
【００３３】
第２の実施の形態
次に図４を参照して、本発明の第２の実施の形態について説明する。ここで図４は、本発明の第２の実施の形態における側板と巾木材とを示す斜視図である。
【００３４】
図４に示す第２の実施の形態は、係止穴が、水平面上において側板と平行な方向に延びる長穴形状を有する点が異なるのみであり、他の構成は、図１および図２に示す第１の実施の形態と略同一である。図４に示す第２の実施の形態において、図１および図２に示す第１の実施の形態と同一部分には同一符号を付して詳細な説明は省略する。
【００３５】
図４に示すように、側板１１の底部１１ｂに形成された係止穴は長穴２１ｂからなる。この長穴２１ｂは、水平面上において、側板１１の底部１１ｂの長手方向に平行に底部１１ｂを貫通して延びている。
【００３６】
図４において、巾木材１２の上部１２ｂに設けられた２個の突起部２２が長穴２１ｂに挿入されるよう、側板１１を巾木材１２上に載置する。このことにより、巾木材１２に対する側板１１の位置合わせを容易に行うことができる。
【００３７】
第３の実施の形態
次に図５を参照して、本発明の第３の実施の形態について説明する。ここで図５は、本発明の第３の実施の形態における側板と巾木材とを示す斜視図である。
【００３８】
図５に示す第３の実施の形態は、側板に、巾木材に向って下方に突出する１個の突起部が設けられ、巾木材に、当該突起部が挿入される係止穴が設けられた点が異なるのみであり、他の構成は、図１および図２に示す第１の実施の形態と略同一である。図５に示す第３の実施の形態において、図１および図２に示す第１の実施の形態と同一部分には同一符号を付して詳細な説明は省略する。
【００３９】
図５に示すように、巾木材１２の上部１２ｂに、側板１１に向って上方に突出する１個の突起部２２が設けられ、側板１１の底部１１ｂに、対応する突起部２２が挿入される係止穴２１が設けられている。さらに、側板１１の底部１１ｂに、巾木材１２に向って下方に突出する１個の突起部３１が設けられ、巾木材１２の上部１２ｂに、対応する突起部３１が挿入される係止穴３２が設けられている。
【００４０】
この場合、巾木材１２に設けられた１個の突起部２２が側板１１の係止穴２１に挿入され、かつ、側板１１に設けられた１個の突起部３１が巾木材１２の係止穴３２に挿入されるよう、側板１１を巾木材１２上に載置する。このことにより、巾木材１２に対する側板１１の位置合わせを容易に行うことができる。また、側板１１が巾木材１２上に載置された後、側板１１が巾木材１２にボルトにより固定されるまでの間、側板１１の下方部分を巾木材１２に対して安定に保持することができる。
【００４１】
なお図５に示す本実施の形態において、巾木材１２の上部１２ｂに、側板１１に向って上方に突出する１個の突起部２２が設けられ、側板１１の底部１１ｂに、対応する突起部２２が挿入される係止穴２１が設けられ、さらに、側板１１の底部１１ｂに、巾木材１２に向って下方に突出する１個の突起部３１が設けられ、巾木材１２の上部１２ｂに、対応する突起部３１が挿入される係止穴３２が設けられている例を示した。しかしながら、これに限られることはなく、側板１１の底部１１ｂに、巾木材１２に向って下方に突出する２個の突起部３１を設け、巾木材１２の上部１２ｂに、対応する突起部３１が各々挿入される係止穴３２を設けてもよい。
【符号の説明】
【００４２】
１０    エレベータの乗りかご
１１    側板
１１ａ  側板の鉛直部
１１ｂ  側板の底部
１２    巾木材
１２ａ  巾木材の側部
１２ｂ  巾木材の上部
１２ｃ  巾木材の下部
１５    底面
１６    天井
１７    ドア
２１    側板の係止穴
２１ａ  凹部
２１ｂ  長穴
２２    巾木材の突起部
２２ａ  土台部
２２ｂ  テーパ部
２２ｃ  切りおこし部
２２ｄ  凸部
２５    側板の締結穴
２６    巾木材の締結穴
３１    側板の突起部
３２    巾木材の係止穴
【図１】
2011037588.tif 000003
【図２】
2011037588.tif 000004
【図３】
2011037588.tif 000005
【図４】
2011037588.tif 000006
【図５】
2011037588.tif 000007